(57)【特許請求の範囲】
【請求項１】
揮散剤が収納される容器本体（１）と、該容器本体（１）の口筒部（２）に装着固定されて内部を密封する中栓体（１０）と、揮散通路（２４）を有すると共に前記中栓体（１０）に螺着した状態で前記容器本体（１）の口筒部（２）の全体を覆うオーバーキャップ（２０）と、を有する揮散容器であって、
前記中栓体（１０）の天面（１２）に、有頂細長筒状の保持キャップ（１４）と、前記保持キャップ（１４）の下端を破断可能に連結する弱化部（１３）とが形成されると共に、前記揮散剤を吸い上げて上方に設けられた揮散部（３１）にて揮散する吸上げ芯（３０）が設けられ、
前記オーバーキャップ（２０）を回転させたときに、前記保持キャップ（１４）が前記オーバーキャップ（２０）と一緒に回転して前記弱化部（１３）の破断が行われると共に、前記オーバーキャップ（２０）の回転に応じて保持キャップ（１４）がネジ送りされることにより、前記保持キャップ（１４）に保持された吸上げ芯（３０）の揮散部（３１）の露出面積が可変可能とされることを特徴とする揮散容器。
【請求項２】
揮散部（３１）を中栓体（１０）の天面（１２）に設けた収納部（１６）に収納し、且つ保持キャップ（１４）で吸上げ芯（３０）の上端を保持する構成とした請求項１記載の揮散容器。
【請求項３】
オーバーキャップ（２０）に、保持キャップ（１４）の回転を支持する孔部（２６）を形成し、且つ該孔部（２６）と前記保持キャップ（１４）との間に、前記オーバーキャップ（２０）を回転させたときに前記孔部（２６）と前記保持キャップ（１４）との間が周方向に係合して前記保持キャップ（１４）を一緒に回転させる係止機構を設けた請求項１又は２記載の揮散容器。
【請求項４】
係止機構を、孔部（２６）の内周面と保持キャップ（１４）の外周面との一方に設けた係止凸部（１７）と、他方に設けた係止凹部（２７）とで構成した請求項３記載の揮散容器。
【請求項５】
係止機構を一定の間隔で形成された複数の係止凸部（１７）とこれと同数の係止凹部（２７）とで構成した請求項４記載の揮散容器。
【請求項６】
オーバーキャップ（２０）に下端に、前記オーバーキャップ（２０）のネジ送りによる進退移動を補助する機能を有すると共に、容器本体（１）のネックリング（５）に当接してオーバーキャップ（２０）が脱離するのを規制する外れ防止ストッパー（４１）を有するガイドキャップ（４０）を設けた請求項１乃至５のいずれか一項に記載の揮散容器。
【発明の詳細な説明】
【技術分野】
【０００１】
本発明は、芳香剤、消臭剤又は防虫忌避剤等の揮散剤を収納して周囲雰囲気中に揮散させる揮散容器に関する。
【背景技術】
【０００２】
揮散性の液体芳香剤が充填され、使用時に揮散可能な状態に設定可能な揮散容器としては、例えば以下の特許文献１に示される技術が提案されている。
この揮散容器は、シート成形によって作成されたカップの底部相当部に揮散用の孔設部を設けた透明又は半透明の芳香剤カップ容器に液体芳香剤を充填した後、カップ容器の天面と底面を密封シールで封止して、カップ容器の天面部にオーバーキャップと底面部の周縁に設けたフランジと嵌合する台座を備えている。また、底部相当部の孔設部に樹脂繊維等からなる揮散紙を備えており、この揮散紙はカップ容器の底部に相当する天面部の孔設部周縁で、且つ天面の密封シールの真下に設けられたアンダーカットに挟みこまれることによって、カップ内に固定されている。
【０００３】
密封シール直下には揮散紙がセットされており、その揮散紙が内容液で浸潤されているため、天面の密封シールを剥がすことにより、液体芳香剤の周囲雰囲気中への揮散が開始されることになる。
【先行技術文献】
【特許文献】
【０００４】
【特許文献１】特開２００３−２０５９８６号公報
【発明の概要】
【発明が解決しようとする課題】
【０００５】
しかしながら、上記特許文献１に記載の容器では、使用前の密閉状態から揮散可能状態に設定するためには、最初にオーバーキャップを取り外してカップ容器の天面を露出させ、次にカップ容器の天面の密封シールを剥がして揮散紙を露出させ、最後にオーバーキャップを再度カップ容器の天面側に装着させるという３段階の作業が必要であり、容易に揮散可能状態とすることができないという問題がある。
【０００６】
また上記容器では、カップ容器の天面部に載置された平板状の揮散紙の表面全体から揮散する構成であり、またオーバーキャップの通気孔も一定の開口面積を有する構成であるため、揮散量が常時一定化され、調整することができないという問題もある。
【０００７】
本発明は、上記した従来技術における問題点を解消すべく、使用前の密閉状態から揮散可能状態への操作が従来品と比較して極めて簡単に行え、また揮散量を容易に調整できるようにして使い勝手に優れた揮散容器を創出することを課題とする。
【課題を解決するための手段】
【０００８】
上記課題を解決するための手段のうち、本発明の主たる構成は、
揮散剤が収納される容器本体と、容器本体の口筒部に装着固定されて内部を密封する中栓体と、揮散通路を有すると共に中栓体に螺着した状態で容器本体の口筒部の全体を覆うオーバーキャップと、を有する揮散容器であって、
中栓体の天面に、有頂細長筒状の保持キャップと、保持キャップの下端とを破断可能に連結する弱化部とが形成されると共に、揮散剤を吸い上げて上方に設けられた揮散部にて揮散する吸上げ芯が設けられ、
オーバーキャップを回転させたときに、保持キャップがオーバーキャップと一緒に回転して弱化部の破断が行われると共に、オーバーキャップの回転に応じて保持キャップがネジ送りされることにより、前記保持キャップ（１４）に保持された吸上げ芯（３０）の揮散部（３１）の露出面積が可変可能とされることを特徴とする、と云うものである。
【０００９】
本発明の主たる構成では、中栓本体の天面に連設された保持キャップをオーバーキャップと一緒に回転する構成とすることにより、天面と保持キャップとの連設部分に形成された弱化部の破断を容易に達成し得る。
また吸上げ芯の露出面積を可変可能とすることにより、揮散量の調整を達成し得る。
【００１０】
また本発明の他の構成は、上記構成に、揮散部を中栓体の天面に設けた収納部に収納し、且つ保持キャップで吸上げ芯の上端を保持する構成とした、との構成を加えたものである。
【００１１】
上記構成では、揮散剤を液状とした場合に、中栓体に設けた吸上げ芯を利用した吸い上げ及び吸上げ芯の上部に設けた揮散部での揮散を達成し得る。
【００１２】
また本発明の他の構成は、上記構成に、オーバーキャップに、保持キャップの回転を支持する孔部を形成し、且つ孔部と保持キャップとの間に、オーバーキャップを回転させたときに孔部と保持キャップとの間が周方向に係合して保持キャップを一緒に回転させる係止機構を設けた、との構成を加えたものである。
【００１３】
上記構成では、互いに別部材により形成されたオーバーキャップと保持キャップとが一緒に回転することを達成し得る。
【００１４】
また本発明の他の構成は、上記構成に、係止機構を、孔部の内周面と保持キャップの外周面との一方に設けた係止凸部と、他方に設けた係止凹部とで構成した、との構成を加えたものである。
【００１５】
上記構成では、オーバーキャップ側の孔部内への保持キャップの挿通を達成しつつ互いの係合を達成し得る。
【００１６】
また本発明の他の構成は、上記構成に、係止機構を一定の間隔で形成された複数の係止凸部とこれと同数の係止凹部とで構成した、との構成を加えたものである。
【００１７】
上記構成では、係止凸部と係止凹部とを複数箇所にて係合させることにより、オーバーキャップの回転を保持キャップに確実に伝達することが可能となり、弱化部の破断を確実に達成し得る。
【００１８】
また本発明の他の構成は、上記いずれかの構成に、オーバーキャップの回転に応じて保持キャップがオーバーキャップと共にネジ送りされることにより、保持キャップに保持された吸上げ芯の露出面積を可変可能とした、との構成を加えたものである。
【００１９】
上記構成では、吸上げ芯の露出面積を可変可能とすることにより、揮散量の調整を達成し得る。
【００２０】
また本発明の他の構成は、上記いずれかの構成に、オーバーキャップに下端に、オーバーキャップのネジ送りによる進退移動を補助する機能を有すると共に、容器本体のネックリングに当接してオーバーキャップが脱離するのを規制する外れ防止ストッパーを有するガイドキャップを設けた、との構成を加えたものである。
【００２１】
上記構成では、オーバーキャップの確実なネジ送りと共にオーバーキャップの脱離を防止し得ることによるオーバーキャップの紛失防止を達成し得る。
【発明の効果】
【００２２】
本発明は、上記した構成となっているので、以下に示す効果を奏する。
本発明では、オーバーキャップを螺脱方向に回すという簡単な操作を行うだけで揮散可能な使用状態に設定することができる。
またオーバーキャップを螺脱方向又は螺着方向に回すという簡単な操作により、揮散量を容易に調整することができる。よって、使い勝手に優れた揮散容器を提供することができる。
【図面の簡単な説明】
【００２３】
【図１】本発明の実施例として使用前の密閉状態にある揮散容器を示す図２のＩ−Ｏ−Ｉ線における縦断面図である。
【図２】揮散容器の平面図である。
【図３】使用後の揮散可能状態にある揮散容器を示す図１同様の縦断面図である。
【図４】クリップを取り付けた状態を示す図３同様の縦断面図である。
【発明を実施するための形態】
【００２４】
以下、本発明の実施の形態について図面を参照しつつ説明する。
本発明たる揮散容器は、例えば芳香剤、消臭剤又は防虫忌避剤等の揮散性の液体（以下、揮散剤という）を収納して室内や車内などの周囲雰囲気中に揮散させるものである。
揮散容器は、主に揮散剤を収納する容器本体１と、この容器本体１の口筒部２に装着固定されて、使用開始前の状態での容器本体１の内部を密封状態に保持する中栓体１０と、中栓体１０が装着された口筒部２の全体を覆うオーバーキャップ２０と、揮散剤を吸い上げて揮散する吸上げ芯３０とを有して構成されている。
【００２５】
容器本体１は、胴部４上部を縮径状に形成した肩部３の上に円筒状の口筒部２が立設された合成樹脂製のボトル状の容器であり、例えばブロー成形法により製造されている。口筒部２と肩部３との間には断面凸状からなるネックリング５が周設され、口筒部２下端と肩部３との境目部分には段部６が周設されている。
【００２６】
中栓体１０は、口筒部２に対して不動状態に嵌合固定される有頂短筒状の中栓本体１１を主体とし、この中栓本体１１の天面１２の中央に肉薄部を円環状に破断可能に形成した弱化部１３と、この弱化部１３を介して連設された有頂細長筒状の保持キャップ１４とを有する合成樹脂製の部材であり、弱化部１３の下面には短筒状の収納部１６が形成されている。また中栓本体１１の外周面には後述するオーバーキャップ２０に形成されている第２螺条２５に噛み合う第１螺条１５が刻設されている。なお、保持キャップ１４の先端側の外周面には複数の係止凸部１７が形成されている。
【００２７】
オーバーキャップ２０も合成樹脂製であり、主に円筒状の側壁２１と、上部中央に円盤状に設けられた頂壁２２と、側壁２１と頂壁２２との間に放射状に配置された複数の隔壁２３とを有して構成される。各隔壁２３は周方向に一定の間隔を有して配置されており、隣接する隔壁２３と隔壁２３との間が揮散状液を容器外に導いて揮散させるための揮散通路２４となっている。オーバーキャップ２０下端の内周面には、中栓本体１１の外周面に形成されている第１螺条１５と噛み合う第２螺条２５が形成されている。
【００２８】
また頂壁２２の中心には、保持キャップ１４の先端が挿通されると共に、保持キャップ１４を回転自在に支持する孔部２６が形成されている。この孔部２６の内周面には、保持キャップ１４に形成された係止凸部１７と同数からなる係止凹部２７が周方向に沿って等間隔に配置されており、各係止凸部１７と各係止凹部２７とは夫々周方向に係合可能となっている。すなわち、複数の係止凸部１７とこれと同数からなる係止凹部２７とが係止機構を構成している。
【００２９】
吸上げ芯３０は、吸液性のある従来同様の素材、例えばフェルト、合成繊維束、天然繊維束、発泡合成樹脂等により棒状に形成されたもので、上部側の途中の位置には太く形成して表面積を大きくした揮散部３１が設けられている。吸上げ芯３０は、上端が保持キャップ１４内に挿入され保持固定され、揮散部３１が弱化部１３下面の収納部１６内に上下に進退自在に収納され、且つ下端は容器本体１の底部方向に垂下されて揮散剤内に浸漬している。
【００３０】
またこの実施例では、オーバーキャップ２０の下端にガイドキャップ４０が連結されている。ガイドキャップ４０の下端の内周面には周凸状からなる外れ防止ストッパー４１が周設されており、図１に示す使用前の密閉状態では、ガイドキャップ４０の下端が肩部３に当接すると共に、外れ防止ストッパー４１が容器本体１側の段部６に係合した状態にある。なお、このガイドキャップ４０は、オーバーキャップ２０を回したときに、ネジ送りされるオーバーキャップ２０が軸方向に沿って正確に進退移動可能となるように補助する機能を備える。
【００３１】
次に、揮散容器の使用方法について説明する。
オーバーキャップ２０を螺脱方向に回転させると、オーバーキャップ２０が容器本体１から離れる上方に向かってネジ送りされる。同時に、係止機構を介して連結されている保持キャップ１４がオーバーキャップ２０と一緒に回転しようとする。上述のとおり中栓本体１１は口筒部２に対して不動に固定されている。このため、オーバーキャップ２０を強く回すと、保持キャップ１４がオーバーキャップ２０と一緒に回転しながら上方にネジ送りされると共に、中栓本体１１の天面１２の保持キャップ１４の下端部分、すなわち弱化部１３が環状に破断し、保持キャップ１４が中栓本体１１の天面１２から分離し、天面１２の中央に開口部１８が形成されることになる（図３参照）。よって、弱化部１３下面の収納部１６内に収納されている吸上げ芯３０の揮散部３１がこの開口部１８から表れ、揮散通路２４を通して揮散剤を外部に揮散させることが可能となる。
【００３２】
また弱化部１３の破断後において、さらにオーバーキャップ２０を螺脱方向に回転させると、保持キャップ１４に保持されている吸上げ芯３０が上方に進出移動するため、開口部１８上に表れる揮散部３１の露出面積を増大させることができる。これとは逆にオーバーキャップ２０を螺着方向に回転させると、吸上げ芯３０が下方に退出移動するため、開口部１８上に表れる揮散部３１の露出面積を減少させることができる。
すなわち、オーバーキャップ２０を螺脱方向又は螺着方向に回すことにより、吸上げ芯３０を自在に進退移動させることが可能であり、これにより開口部１８上に表れる揮散部３１の露出面積を自由に可変することができ、結果として揮散量の調整が可能となる。
【００３３】
またオーバーキャップ２０を螺脱方向に大きく回すと、オーバーキャップ２０の上方への進出移動に応じてガイドキャップ４０に形成された外れ防止ストッパー４１が容器本体１側のネックリング５に下方から当接してオーバーキャップ２０のこれ以上の移動を規制する。よって、口筒部２からのオーバーキャップ２０の離脱を阻止し、ひいてはオーバーキャップ２０の紛失を防止することが可能となる。
【００３４】
従来の揮散容器にあっては使用開始時にオーバーキャップを取り外して内部の密封シールを剥離させる際にオーバーキャップを紛失させてしまう虞があったが、本発明ではオーバーキャップ２０を取り外す必要がないので紛失の虞がない。特に車載用など径の小さな揮散容器においては、オーバーキャップの大きさも小さく取り外した場合には紛失する虞があることから、そのような虞が生じにくい点で本発明は有効である。
【００３５】
なお、図４に示すように、ガイドキャップ４０の下に着脱可能なクリップ５０を設ける構成とすることもできる。この構成では、揮散容器が車載用の小型の芳香剤容器である場合に、このクリップ５０をエアコンの排出口近傍にクリップ５０を介して係止することにより、排出口から排出されるエアーに香り付けすることが可能となる。特にエアーは、揮散通路２４の出口近傍に設けられた複数の隔壁２３の間を通り抜けることになるので、より揮散効果を高めることが可能である。
【００３６】
また本発明では従来のような３段階の作業が不要であり、単にオーバーキャップを回転させるだけで容易に開封することができるため、作業の際に誤って揮散剤が手に付着したり、あるいは揮散剤を溢したりする虞を抑制することができる。
【００３７】
以上のように、本発明では、オーバーキャップ２０を螺脱方向に回すという簡単な操作を行うだけで揮散可能な使用状態に設定することができる。またオーバーキャップ２０を螺脱方向又は螺着方向に回すという簡単な操作により、揮散量を容易に調整することができる。
【００３８】
また太く形成された揮散部３１は、開口部１８を塞ぐように収納部１６内に収納されているため、誤って揮散容器を倒したとても内部の揮散剤が開口部１８を通じて容器の外部に漏れる虞がない。
【００３９】
以上、実施例に沿って本発明の構成とその作用効果について説明したが、本発明の実施の形態は上記実施例に限定されるものではない。
【００４０】
例えば上記実施例では、保持キャップ１４側に係止凸部１７を形成し、孔部２６側に係止凹部２７を形成した場合について説明したが、保持キャップ１４側に係止凹部を形成し、孔部２６側に係止凸部を形成した構成とすることもできる。
【００４１】
またガイドキャップ４０をオーバーキャップ２０と別部材で構成し組み合わせる場合を示して説明したが、ガイドキャップ４０をオーバーキャップ２０と一体に形成する構成であってもよい。
【００４２】
また上記実施例では液状の揮散剤を示して説明したが、その他例えばジェル状、あるいは小球状の揮散剤であってもよい。
【産業上の利用可能性】
【００４３】
本発明は、芳香剤、消臭剤又は防虫忌避剤等の揮散剤を収納して周囲雰囲気中に揮散させる容器の分野における用途展開をさらに広い領域で図ることができる。
【符号の説明】
【００４４】
１    ：  容器本体
２    ：  口筒部
３    ：  肩部
４    ：  胴部
５    ：  ネックリング
６    ：  段部
１０  ：  中栓体
１１  ：  中栓本体
１２  ：  天面
１３  ：  弱化部
１４  ：  保持キャップ
１５  ：  第１螺条
１６  ：  収納部
１７  ：  係止凸部（係止機構）
１８  ：  開口部
２０  ：  オーバーキャップ
２１  ：  側壁
２２  ：  頂壁
２３  ：  隔壁
２４  ：  揮散通路
２５  ：  第２螺条
２６  ：  孔部
２７  ：  係止凹部（係止機構）
３０  ：  吸上げ芯
３１  ：  揮散部
４０  ：  ガイドキャップ
４１  ：  外れ防止ストッパー
５０  ：  クリップ
【図１】
0006358465.tif 000002
【図２】
0006358465.tif 000003
【図３】
0006358465.tif 000004
【図４】
0006358465.tif 000005